(57)【要約】      （修正有）【課題】ハンドレールの上面中央から裏面側に沿って帯状の粘着シートを無理なく連続的に貼り付けることができ、小型軽量化が実現できる自走式の貼り付け装置を提供する。【解決手段】装置は搬送用ローラ４５，４６によってハンドレール５上に搭載されると共に、前レールガイド４３と後レールガイド７５によってハンドレールのセンターに位置規制されつつハンドレール上を移動するように動作する。巻き出しローラ１より繰り出される帯状の粘着シート２は、貼着用第１ローラ４８、第２ローラ４９、植毛６０ａを備えたブラシ６０の作用により、ハンドレールの上面中央から裏面側に沿って順に貼り付けられる。そして、最後に円柱部と円錐部を有する対をなす後レールガイド７５によって、粘着シート２の幅方向の両端がハンドレールの裏面側に対して強固に貼り付けられる。【選択図】図３
2007076817.tif 000002
【特許請求の範囲】
【請求項１】
ハンドレール上に沿って移動させることにより、帯状の粘着シートを繰り出して当該粘着シートをハンドレール上に連続的に貼着する自走式のシート貼り付け装置であって、
前記粘着シートを巻回状態にして保持する巻き出しローラと、前記巻き出しローラから繰り出されて前記ハンドレール上に貼り付けられる粘着シートに対して、バックテンションを付与するテンション付与機構が具備され、
前記テンション付与機構により粘着シートに対してバックテンションを付与することで、ハンドレール上に貼り付けられる直前の粘着シートの幅方向両端を、それぞれ湾曲状態に変形させるように構成したことを特徴とする帯状シートの貼り付け装置。
【請求項２】
前記巻き出しローラから繰り出された粘着シートを、前記ハンドレール上に接合する貼着用の第１および第２ローラが具備され、
前記第１ローラは装置の進行方向の前方に位置して、前記ハンドレール上面における幅方向の中央部を含む位置に対して前記粘着シートを転動作用により接合させると共に、前記第２ローラは前記第１ローラの後方に位置して、前記ハンドレール上面における幅方向の中央部を避けたハンドレール上面の両側部に対して前記粘着シートを転動作用により接合させるように構成したことを特徴とする請求項１に記載された帯状シートの貼り付け装置。
【請求項３】
前記第１ローラを構成する表面素材の硬度よりも、前記第２ローラを構成する表面素材の硬度が、より高い関係となるように構成されていることを特徴とする請求項２に記載された帯状シートの貼り付け装置。
【請求項４】
前記第１ローラの幅は、前記ハンドレールを上面から視た状態の幅に対して、６５±５％の範囲に設定されていることを特徴とする請求項２または請求項３に記載された帯状シートの貼り付け装置。
【請求項５】
前記第２ローラのそれぞれ内側の端部は、前記第１ローラの外側の端部のさらに外側にそれぞれ２ｍｍを加えた範囲内に位置するように構成されていることを特徴とする請求項２ないし請求項４のいずれが１項に記載された帯状シートの貼り付け装置。
【請求項６】
前記ハンドレールに対する粘着シートの貼着状態において、前記第２ローラの両外側の端部は、前記粘着シートの幅方向の各端部よりもそれぞれ外側に位置するように構成されていることを特徴とする請求項２ないし請求項５のいずれか１項に記載された帯状シートの貼り付け装置。
【請求項７】
装置の進行方向における前記第２ローラの後方に、前記ハンドレールの幅方向の両外側より、前記ハンドレールの両側面に向かって植毛されたブラシが具備され、前記ブラシの植毛材により前記ハンドレールの少なくとも両側面に対して前記粘着シートを貼着させるように構成したことを特徴とする請求項２ないし請求項６のいずれか１項に記載された帯状シートの貼り付け装置。
【請求項８】
装置の進行方向における最後部に、前記ハンドレールにおける幅方向の両側面にそれぞれ接して転動する対をなすレールガイドが具備され、前記各レールガイドは、ハンドレールにおける幅方向の側面に接する円柱部と、ハンドレールにおける前記両側面に連なる裏面側の一部に接する円錐部とにより構成されていることを特徴とする請求項１ないし請求項７のいずれか１項に記載された帯状シートの貼り付け装置。
【請求項９】
装置の進行方向における最前部に、前記ハンドレールにおける幅方向の両側面にそれぞれ接して転動する対をなすレールガイドがさらに具備され、装置の進行方向における最後部に具備された前記レールガイドと共に、ハンドレールに対する装置の移動位置をガイドするように構成したことを特徴とする請求項８に記載された帯状シートの貼り付け装置。
【請求項１０】
前記巻き出しローラから繰り出された粘着シートより剥離される剥離シートを巻き取る巻き取りローラがさらに具備され、前記粘着シートの繰り出しに伴って前記巻き出しローラに与えられる回転力を、プーリとベルトによる伝達手段により前記巻き取りローラに伝達するように構成したことを特徴とする請求項１ないし請求項９のいずれか１項に記載された帯状シートの貼り付け装置。
【請求項１１】
ハンドレール上に沿って移動させることにより、巻き出しローラから帯状の粘着シートを繰り出して当該粘着シートをハンドレール上に連続的に貼着する自走式のシート貼り付け装置を用いた粘着シートの貼り付け方法であって、
前記巻き出しローラから繰り出される粘着シートに対してバックテンションを付与し、前記バックテンションの付与により、前記粘着シートの長手方向に対して４±１％の伸びを与えた状態で、前記粘着シートを前記ハンドレール上に貼着することを特徴とするハンドレール上への粘着シートの貼り付け方法。
【発明の詳細な説明】
【技術分野】
【０００１】
この発明は、例えばエスカレータや動く歩道等に付設されたハンドレール（移動手すり）の表面に、広告または案内情報等を印刷したシート、もしくは化粧用のシートを貼り付ける帯状シートの貼り付け装置および貼り付け方法に関する。
【背景技術】
【０００２】
エスカレータや動く歩道におけるステップの両側に付設されたハンドレールを、広告表示や案内表示のために利用することが提案されており、前記した広告または案内情報等を印刷した帯状の粘着シートを前記ハンドレール上に連続的に貼り付けるための貼り付け装置も提案されている（例えば、特許文献１参照）。
【特許文献１】特許第３６４５８９３号公報
【０００３】
前記特許文献１に示された貼り付け装置によると、当該貼り付け装置をハンドレール上に固定し、ハンドレールを移送状態（エスカレータや動く歩道を運転状態）にすることで、帯状の粘着シートを貼り付け装置から繰り出してハンドレール上に貼り付けることができるように構成されている。
【０００４】
このために、特許文献１に示された貼り付け装置には、剥離シートを貼り合わせた帯状の粘着シートの巻回体を保持する巻き出しローラと、粘着シートを繰り出す際に分離される剥離シート（セパレートフィルム）を巻き取る巻き取りローラが具備されると共に、繰り出された粘着シートをハンドレールの長手方向に直交する湾曲面上に沿って貼り付けるための多数のローラ群が具備されている。
【０００５】
ハンドレールを移送状態にして粘着シートをハンドレール上に連続的に貼り付ける特許文献１に示されたような固定式の貼り付け装置においては、欄干部分の滑らかなパネル面に真空の作用で装置を固定する吸着盤や、欄干の上部に装置をクランプするクランプ手段等による固定装置を設けた構成が必要となる。
【０００６】
これに加えて、比較的高速度で駆動されるハンドレールに対応して前記粘着シートを繰り出し、また剥離紙を弛まずに巻き取るように作用させるためには、シートの巻き出しローラと巻き取りローラ、およびこれらを支持するフレーム構造体などを機械的に強固に構成させる必要が生ずる。したがって、前記した吸着盤やクランプ手段による固定装置が加わった貼り付け装置は、その全体が大型化し大重量となることは避けられない。
【０００７】
それ故、前記したような固定式の装置によると、実際にハンドレールに対する粘着シートの貼り付け作業に要する時間に比較して、前記した貼り付け装置をハンドレールの上部に搬送して装着し、粘着シートの繰り出し位置を調整するなどの前工程の作業に多大の時間を費やすことになり、作業効率を向上させることができないという課題を抱えている。
【０００８】
加えて、ハンドレールの移送速度（エスカレータ等の運転速度）は、その大多数は実用上において使用可能な２段階程度の速度切り替えの機能を持つものである。したがって、たとえ低速運転の状態であっても、ハンドレール上に粘着シートを貼り付ける作業条件に対しては過剰に速い速度であり、例えば粘着シートの貼り付けに乱れが生じそうな場合において、これを修正しつつ貼着させるなどの余裕はなく、相当の距離（長さ）にわたって貼着作業の失敗を余儀なくさせるなどの問題も発生し得る。
【０００９】
そこで、固定式の貼り付け装置における前記した問題点を解消すべく、ハンドレールの移送を停止させた状態でハンドレール上を移動する自走式の貼り付け装置が提案されている（例えば、特許文献２参照）。これによると、例えばエスカレータのハンドレール上を、上から下に向かって貼り付け装置を移動（転送）させることで、装置から繰り出される粘着シートを連続的に前記ハンドレール上に貼り付けるように作用する。したがって、特許文献２に開示された自走式の貼り付け装置によると、固定式の貼り付け装置における先に述べた代表的な問題点を解消させることができる。
【特許文献２】特開２００５−６０００４号公報
【発明の開示】
【発明が解決しようとする課題】
【００１０】
ところで、前記したハンドレール上に帯状の粘着シートを貼り付けた場合には、多数の利用者によるハンドレールの把持の繰り返しにより、粘着シートに剥がれが生じ易く、ハンドレールの一部において剥がれが生じた場合には、貼着面を把持した利用者に不快感を与えるという問題が生ずる。そこで、粘着シートが利用者の爪先などで容易に剥がされるのを阻止するために、断面が鞍状に形成されたハンドレールの上面から両側面に沿い、さらに裏面側に包み込むようにして帯状の粘着シートを連続的に貼り付ける必要がある。
【００１１】
この場合、ハンドレールと粘着シートとの間に気泡を残すことなく、またハンドレールの上面から裏面側にわたって皺が発生することがないように体裁よく貼着することが望まれる。このような要請に応えるために前記特許文献１および２に示された貼り付け装置においては、ハンドレールの上面から両側面に向かい、さらに裏面側に包み込むようにして帯状の粘着シートを順に貼り付けるローラ群を配置した構成（特許文献１に記載の装置）、前記と同様の順序で粘着シートをハンドレールに順次押しつける複数のへらを備えた構成（特許文献２に記載の装置）にされている。
【００１２】
しかしながら、前記したローラ群、もしくは複数のへらを配備することで、ハンドレールの上面から裏面側に包み込むようにして粘着シートを体裁よく貼着させようとした場合、特許文献１および２に示された実施の形態に比較して、現実的にはより多数のローラもしくはへらを配備する必要が生ずる。したがって、これら多数のローラもしくはへらを配備するために装置の大型化は避けられず、これにより貼り付け装置の取り扱いを困難にして作業効率を低下させる結果を招来させる。
【００１３】
この発明は前記した現実的な問題点に着目してなされたものであり、ハンドレールに沿って移動させることにより帯状の粘着シートを繰り出してハンドレールに貼着する自走式の貼り付け装置を対象とし、合理的な粘着シートの貼着作用を実現させることで、より小型軽量化することが可能な貼り付け装置および貼り付け方法を提供することを課題とするものである。
【課題を解決するための手段】
【００１４】
前記した課題を解決するためになされたこの発明にかかる貼り付け装置は、ハンドレール上に沿って移動させることにより、帯状の粘着シートを繰り出して当該粘着シートをハンドレール上に連続的に貼着する自走式のシート貼り付け装置であって、前記粘着シートを巻回状態にして保持する巻き出しローラと、前記巻き出しローラから繰り出されて前記ハンドレール上に貼り付けられる粘着シートに対して、バックテンションを付与するテンション付与機構が具備され、前記テンション付与機構により粘着シートに対してバックテンションを付与することで、ハンドレール上に貼り付けられる直前の粘着シートの幅方向両端を、それぞれ湾曲状態に変形させるように構成した点に特徴を有する。
【００１５】
この場合、好ましくは前記巻き出しローラから繰り出された粘着シートを、前記ハンドレール上に接合する貼着用の第１および第２ローラが具備され、前記第１ローラは装置の進行方向の前方に位置して、前記ハンドレール上面における幅方向の中央部を含む位置に対して前記粘着シートを転動作用により接合させると共に、前記第２ローラは前記第１ローラの後方に位置して、前記ハンドレール上面における幅方向の中央部を避けたハンドレール上面の両側部に対して前記粘着シートを転動作用により接合させるように構成される。
【００１６】
加えて、前記第１ローラを構成する表面素材の硬度よりも、前記第２ローラを構成する表面素材の硬度が、より高い関係となるように構成されていることが望ましい。
【００１７】
また、前記第１ローラの幅は、前記前記ハンドレールを上面から視た状態の幅に対して、６５±５％の範囲に設定されていることが望ましい。さらに、前記第２ローラのそれぞれ内側の端部は、前記第１ローラの外側の端部のさらに外側にそれぞれ２ｍｍを加えた範囲内に位置するように構成されていることが望ましい。
【００１８】
また、前記ハンドレールに対する粘着シートの貼着状態において、前記第２ローラの両外側の端部は、前記粘着シートの幅方向の各端部よりもそれぞれ外側に位置するように構成されていることが望ましい。
【００１９】
そして、好ましくは装置の進行方向における前記第２ローラの後方に、前記ハンドレールの両外側より、前記ハンドレールの両側面に向かって植毛されたブラシが具備され、前記ブラシの植毛材により前記ハンドレールの少なくとも両側面に対して前記粘着シートを貼着させるように構成される。
【００２０】
また、好ましい実施の形態においては、装置の進行方向における最後部に、前記ハンドレールにおける幅方向の両側面にそれぞれ接して転動する対をなすレールガイドが具備され、前記各レールガイドは、ハンドレールにおける幅方向の側面に接する円柱部と、ハンドレールにおける前記両側面に連なる裏面側の一部に接する円錐部とにより構成される。
【００２１】
これに加えて、装置の進行方向における最前部に、前記ハンドレールにおける幅方向の両側面にそれぞれ接して転動する対をなすレールガイドがさらに具備され、装置の進行方向における最後部に具備された前記レールガイドと共に、ハンドレールに対する装置の移動位置をガイドするように構成することが望ましい。
【００２２】
そして好ましい実施の形態においては、前記巻き出しローラから繰り出された粘着シートより剥離される剥離シートを巻き取る巻き取りローラがさらに具備され、前記粘着シートの繰り出しに伴って前記巻き出しローラに与えられる回転力を、プーリとベルトによる伝達手段により前記巻き取りローラに伝達するように構成される。
【００２３】
一方、前記した課題を解決するためになされたこの発明にかかるハンドレール上への粘着シートの貼り付け方法は、ハンドレール上に沿って移動させることにより、巻き出しローラから帯状の粘着シートを繰り出して当該粘着シートをハンドレール上に連続的に貼着する自走式のシート貼り付け装置を用いた粘着シートの貼り付け方法であって、前記巻き出しローラから繰り出されて前記ハンドレール上に貼り付けられる粘着シートに対してバックテンションを付与し、前記バックテンションの付与により、前記粘着シートの長手方向に対して４±１％の伸びを与えた状態で、前記ハンドレール上に貼着する点に特徴を有する。
【発明の効果】
【００２４】
前記した構成の貼り付け装置によると、作業者に支持されて装置自身がハンドレール上に沿って移動することで、連続して粘着シートがハンドレールに上に貼着されるように動作する。この時、巻き出しローラから繰り出されて前記ハンドレール上に貼り付けられる粘着シートに対してバックテンションが付与されるように作用するので、粘着シートの長手方向に対して一定の伸びが与えられる。これにより、ハンドレール上に貼り付けられる直前の粘着シートの幅方向の両端を、ハンドレールの曲面に沿って湾曲状態に変形させることができる。
【００２５】
すなわち、粘着シートは断面が鞍形になされたハンドレールの外形になじむようにして湾曲状態に変形され、装置の移動に伴って前記した第１ローラ、第２ローラ、ならびに植毛ブラシの作用を受け、ハンドレールの上面中央から両側面に沿い、さらに裏面側に包み込むようにして帯状の粘着シートを無理なく連続的に貼り付けることができる。
【００２６】
そして、最後にハンドレールにおける両側面に連なる裏面側の一部に、前記レールガイドの円錐部が接合するように作用するので、これにより帯状になされた粘着シートの幅方向の両端部をレールガイドに対して強固に貼着させることができる。
【００２７】
これにより、ハンドレールと粘着シートとの間に気泡を封じ込める度合いを低減させることができると共に、ハンドレールの上面から裏面側にわたって大きな皺などを発生させることなく粘着シートを貼着することが可能となる。
【発明を実施するための最良の形態】
【００２８】
以下、この発明にかかる帯状シートの貼り付け装置について、図に示す実施の形態に基づいて説明する。なお、この発明にかかる貼り付け装置は、前記したとおり例えばエスカレータのハンドレールの移送を停止させた状態で、ハンドレール上を移動する自走式の貼り付け装置を構成するものである。
【００２９】
図１はその貼り付け装置の基本構成を説明するものであり、剥離シート（セパレートフィルム）を貼り合わせた帯状の粘着シートの巻回体を保持する巻き出しローラ１と、粘着シート２を繰り出す際に分離される剥離シート３を巻き取る巻き取りローラ４、および巻き出しローラ１から繰り出される粘着シート２をハンドレール５側に誘導する巻き掛けローラ６の基本構成が示されている。
【００３０】
そして、巻き出しローラ１、巻き取りローラ４、巻き掛けローラ６は貼り付け装置の主要部を構成しており、この貼り付け装置は矢印Ａに示すようにハンドレール５上を、上から下に向かって移動することで、巻き出しローラ１から繰り出された帯状の粘着シート２を前記ハンドレール５上に連続的に貼り付けるように作用する。なお、ハンドレール５上に貼り付けられる前記粘着シート２には、符号２ａで示すように広告や案内情報等が印刷されている。
【００３１】
図２〜図４は前記した基本構成を具備する貼り付け装置の全体構成を示したものであり、図２は装置の上面図、図３は一部を透視状態で示した装置の正面図、図４は装置の左側面図を示している。なお、図２および図３に示すように装置は、矢印Ａ方向に移動することで前記したハンドレール上に帯状の粘着シートを貼り付けるように動作する。したがって、図４は装置の進行方向側から視た側面図を示している。また、図５および図６は図３におけるＢ−Ｂ線、Ｃ−Ｃ線よりそれぞれ矢印方向に視た状態を示す図であり、先ずは前記図２〜図６に基づいて、装置の全体構成について説明する。
【００３２】
装置は左右のフレーム部材１１，１２が、両者にまたがる複数のシャフト１３〜２３によって平行状態となるように組み立てられている。図に示す装置は、ハンドレール上を上から下に向かって矢印Ａ方向に移動させる場合に、移動方向の右側のハンドレール上に粘着シート２を貼り付ける場合に利用される構成を示している。したがって、図２に示すように進行方向の左側に対応するフレーム部材１２の外側に一対のグリップ２５ａ，２５ｂが、着脱可能に取り付けられ、また、進行方向の右側に対応するフレーム部材１１の外側に、図示せぬ複数のビスによりプレート部材２７が着脱可能に取り付けられている。
【００３３】
なお、移動方向の左側のハンドレール上に粘着シートを貼り付ける場合においては、前記一対のグリップ２５ａ，２５ｂと、プレート部材２７を左右に入れ替えることで対応することができる。すなわち、作業者は一対のグリップ２５ａ，２５ｂを把持して装置を前記ハンドレール５上に載置し、停止状態のエスカレータのステップを降りながらハンドレール５上を移動させることで、帯状の粘着シートをハンドレール上に貼り付けるようなされる。
【００３４】
図２に示すように前記プレート部材２７には、このプレート部材２７に対して回転可能に取り付けられたシャフト２８，２９が具備されており、そのうちの一方のシャフト２８には、前記した巻き出しローラ１が取り付けられている。なお、符号１ａは前記巻き出しローラ１の端面に、蝶ボルトにより取り付けられた円盤状のローラカバーを示している。そして、前記シャフト２８にはプレート部材２７の外側面において、テンション付与機構として機能するトルクコントローラ３０が取り付けられている。
【００３５】
前記トルクコントローラ３０は、その詳細は図示していないが、前記シャフト２８に取り付けられて回転する円盤と、この円盤に対してバネ部材を介して押し当てられる固定円盤からなる摩擦クラッチ機構が内蔵されており、巻き出しローラ１から前記した粘着シート２が繰り出される際に、粘着シートに対して一定のバックテンションを付与するように作用する。
【００３６】
この場合、前記トルクコントローラ３０によって粘着シート２に対して与えるバックテンションの量は、粘着シートの長手方向に対して４±１％の範囲の伸びを与えるように設定されていることが望ましい。なお、前記バックテンションの作用により粘着シートに伸びを与える場合の前記した望ましい範囲については、後で詳細に説明する。
【００３７】
一方、前記プレート部材２７に対して回転可能に取り付けられた他方のシャフト２９には、前記した巻き取りローラ４が取り付けられている。そして、図２に示すように前記巻き出しローラ１が取り付けられたシャフト２８と巻き取りローラ４が取り付けられたシャフト２９には、それぞれプーリ３１，３２が取り付けられ、このプーリ３１，３２の間にはベルト３３が掛け渡されている。これにより、粘着シート２の繰り出しに伴って前記巻き出しローラ１に与えられる回転力が、前記プーリとベルトによる伝達手段により巻き取りローラ４に伝達されるように作用する。
【００３８】
なお、前記したプーリ３１，３２のうち、巻き出しローラ１側のプーリ３１は巻き取りローラ４側のプーリ３２に対して大径になされており、したがって粘着シートを繰り出す際に分離される剥離シート（セパレートフィルム）３に弛みを発生させることなく、巻き取りローラ４によって巻き取ることができる。
【００３９】
図４に示すように装置の進行方向の前方に配置された上下に平行状態のシャフト１５，１６を利用して、一対のホルダ３５，３６が取り付けられており、一方のホルダ３５は前記したフレーム部材１１との間でその位置が固定され、他方のホルダ３６は前記シャフト１５，１６の長手方向に沿ってスライドできるように取り付けられている。そして、前記一対のホルダ３５，３６の間には、引っ張りバネ３７が張架されている。したがって、スライド可能な前記ホルダ３６は、前記引っ張りバネ３７の作用を受けてホルダ３５側に付勢されるように構成されている。
【００４０】
図４に示すように、前記ホルダ３５，３６には、それぞれリンクプレート３８，３９の一端が取り付けられており、このプレート３８，３９の他端は、操作部材４０を介して互いに回動できるように連結されている。そして、一方のプレート３８には係止ピン３８ａが立設され、他方のプレート３９には前記係止ピン３８ａが入り込む切欠部３９ａが形成されている。
【００４１】
すなわち、前記プレート３８，３９は、オーバセンタの機能を備えており、前記操作部材４０を押し下げることにより、係止ピン３８ａが切欠部３９ａに入り込んで、オーバセンタの状態となり、ホルダ３５，３６が拡開された状態にロックされる。そして、前記操作部材４０を押し上げることにより、前記ロック状態が外され、前記したホルダ３６はバネ３７の作用を受けてホルダ３５側に移動し、図４に示すようにハンドレール５を挟んだ状態になされる。
【００４２】
前記各ホルダ３５，３６のそれぞれには、その下側面に対をなすレールガイド（これを前レールガイドとも言う。）４２，４３が鉛直軸方向で回転可能となるように取り付けられている。前記各前レールガイド４２，４３は、その一方のレールガイド４３において符号で示したように、ハンドレール５における幅方向の側面に接する円柱部４３ａと、ハンドレール５における前記側面に連なる裏面側の一部に接する円錐部４３ｂとが形成されている。この構成により、対をなすレールガイド４２，４３は、ハンドレールの両側からハンドレールをオーバハングするようにして回動し、装置をハンドレール５の長手方向に沿って円滑に移動させるように作用する。
【００４３】
一方、図３に示すように左右のフレーム部材１１，１２を連結するシャフト１７および２１にはそれぞれ搬送用ローラ４５，４６が取り付けられている。図５には前側の搬送用ローラ４５の構成が詳しく示されており、この搬送用ローラ４５にはその中央部に僅かな凹み４５ａが形成され、ハンドレール５の上面を転動する時、比較的大きな円弧をもって形成されたハンドレール５の上面に無理なく接するように作用する。
【００４４】
なお、シャフト２１に取り付けられた後側の搬送用ローラ４６においても、前記した前側の搬送用ローラ４５と同一の構成にされている。したがって、前記した前後の搬送用ローラ４５，４６によって装置の重量を支え、装置を前記した矢印Ａ方向に円滑に搬送するように機能する。
【００４５】
また、図３に示すように前側の搬送用ローラ４５の若干後方には前記した巻き掛けローラ６が、左右のフレーム部材１１，１２を連結するシャフト１８に対して回転可能に取り付けられている。これにより巻き出しローラ１より繰り出された帯状の粘着シート２は、その繰り出し方向からほぼ直交する角度をもってハンドレール５の上面に沿った方向に転換される。
【００４６】
そして、装置の進行方向における前記巻き掛けローラ６の直後には、粘着シート２を前記ハンドレール５上に接合する貼着用の第１ローラ４８および第２ローラ４９が具備されている。前記第１ローラ４８は装置の進行方向の前方に位置して、前記ハンドレール上面における幅方向の中央部を含む位置に対して粘着シート２を転動作用により接合させると共に、前記第２ローラ４９は前記第１ローラ４８の後方に位置して、前記ハンドレールの上面における幅方向の中央部を避けた主にハンドレール上面の両側部に対して前記粘着シート２を転動作用により接合させるように作用する。
【００４７】
すなわち、図６には貼着用の第１および第２ローラ４８，４９の構成が示されている。なお、図６においては、第２ローラ４９は装置から外された状態で、第１ローラ４８の直下に置いた状態で示している。図６に示すように第１ローラ４８は、ローラの有効幅が狭く形成されており、これにより前記したとおりハンドレール上面における幅方向の中央部を含む位置に対して前記粘着シート２を転動作用により接合させるように機能する。
【００４８】
この貼着用の第１ローラ４８は、図６に示されているようにシャフト５１に対して回転可能に支持され、またシャフト５１は左右一対のホルダ５２ａ，５２ｂと、これらを上部で連結する連結部材５２ｃによって支持されている。さらに前記連結部材５２ｃは、左右のフレーム部材１１，１２に跨がって取り付けられた支持プレート５４の直下において、一対のバネ部材５５によって鉛直方向の下方に付勢されるようにして取り付けられている。
【００４９】
したがって、前記第１ローラ４８は前記バネ部材５５の付勢力を受けて、ハンドレールの上面に当接して転動し、前記粘着シートの主に中央部をハンドレールの上面に接合させるように作用する。一方、貼着用の第２ローラ４９は、図６に示されたようにそのローラが左右に別れて形成されており、これにより前記した第１ローラ４８によって接合作用を受けた粘着シートの主に中央部を避けたその両側部分において、前記粘着シートに対して接合作用を与えるように作用する。
【００５０】
この貼着用の第２ローラ４９は、図６に示されているようにシャフト５７に対して回転可能に支持され、このシャフト５７は第１ローラ４８の支持構造と同様の構成（ホルダ５２ａ，５２ｂ、連結部材５２ｃ等の構成）によって支持され、同様にバネ部材５５の付勢力を受けて、ハンドレールの上面に当接されるように構成されている。
【００５１】
なお、前記第１ローラ４８および第２ローラ４９を構成する各表面素材は、好ましくは発泡ゴム（スポンジ）が用いられ、第１ローラ４８を構成する表面素材の硬度よりも、前記第２ローラ４９を構成する表面素材の硬度が、より高い関係となるように構成されていることが望ましい。このような硬度差を持たせることにより、ハンドレールと粘着シートとの間に気泡を残すことなく、また粘着シートに皺を発生させる度合いも低減させることができる。
【００５２】
因みに前記した第１ローラ４８を構成するゴムの硬度（ＪＩＳＡ）は１０程度とし、第２ローラ４９を構成するゴム硬度（ＪＩＳＡ）は１５程度とすることが望ましい。なお、条件に応じて前記第１ローラ４８を構成するゴムの硬度（ＪＩＳＡ）は、５〜１０の範囲で選択し、第２ローラ４９を構成するゴムの硬度（ＪＩＳＡ）は、１０〜２０の範囲で選択することができる。この場合においても、前記と同様に第１ローラ４８を構成するゴムの硬度よりも、第２ローラ４９を構成するゴムの硬度が、より高い関係となるように組み合わせを選択することが望まれる。
【００５３】
図７は、前記した第１ローラ４８と第２ローラ４９におけるさらに好ましい関係を説明するものであり、図７においてはハンドレール５の上面に粘着シート２を挟んで、ハンドレール５の上を転動する第１ローラ４８および第２ローラ４９の構成が模式的に示されている。すなわち、第１および第２ローラ４８，４９は、矢印で示す方向に転動することで移動するようになされ、これにより粘着シート２をハンドレール５の上面に沿って貼り付けるように作用する。
【００５４】
ここで、前記第１ローラ４８は、ハンドレール５の上面に便宜的に付した中央の線Ｄに、ローラの中央部が一致するようにして、矢印方向に転動される。そして、前記第１ローラ４８の幅（Ｗ１）は、前記ハンドレール５を上面から視た状態の幅（Ｗ２）に対して、６５±５％の範囲に設定されていることが望ましい。これは前記幅Ｗ２に対するＷ１の割合が６０％未満である場合には、ハンドレール５に対する粘着シート２の押さえの面積が不足するため、前記第２ローラ以降のローラ対を複数組備える必要が発生し、装置の大型化を招くことになる。
【００５５】
これは、ハンドレール５の長手方向に直交する断面形状は、一般的にハンドレール５の上面中央付近が僅かに凸状になされ、両外側が円弧状に構成されているためである。一方、前記幅Ｗ２に対するＷ１の割合が７０％を超えると、ハンドレール５の中央部付近において粘着シート２との間に気泡を閉じ込める度合いが大きくなる。
【００５６】
さらに、前記第２ローラ４９のそれぞれ内側の端部ａは、前記第１ローラ４８の外側の端部ｂのさらに外側にそれぞれ２ｍｍを加えた範囲内に位置するように構成されていることが望ましい。図７に示す形態においては、便宜的に鎖線で結んで示したように、前記端部ａと端部ｂは進行方向で一致しているが、要するに端部ａと端部ｂとの間に発生する隙間が最大で２ｍｍ以内となるように、第１と第２ローラ４８，４９の寸法の関係が構成されていることが望ましい。
【００５７】
これは前記端部ａと端部ｂとの間に発生する隙間が２ｍｍを超える場合においては、ハンドレール５の長手方向において、前記隙間により粘着シート２の不十分な貼着部分が発生し、ハンドレール５上に二条の筋を発生させるという問題を招来させることになるためである。なお、前記端部ａと端部ｂとの間に隙間が発生しないように、第１と第２ローラ４８，４９が進行方向でオーバラップされるように構成されていてもよい。
【００５８】
また、ハンドレール５に対する粘着シート２の貼着状態において、前記第２ローラ４９の両外側の端部ｃは、前記粘着シート２の幅方向の各端部よりもそれぞれ外側に位置するような寸法関係になされていることが望ましい。この構成により、粘着シート２の幅方向の両端部が上側に捲り上がるのを前記第２ローラ４９が効果的に抑制し、粘着シート２の幅方向の両端部を、ハンドレール５の両側面と後述するブラシの植毛との間に、円滑に引き込ませるように誘導させることができる。
【００５９】
前記した貼着用の第１および第２ローラ４８，４９の後方には、図３に示すように左右のフレーム部材１１，１２を連結する上下のシャフト１９，２０を利用して一対のブラシ６０が取り付けられている。この一対のブラシ６０には、ハンドレール５の幅方向の両外側より、ハンドレールの両側面に向かうようにしてそれぞれ植毛６０ａが施されている。その様子は図８に詳しく示されており、これら一対のブラシ６０は、前記した上下のシャフト１９，２０に取り付けられた図２に示す一対のブラケット６２によって、それぞれ三次元方向に位置および姿勢が調整できるように取り付けられている。
【００６０】
なお、図に示した形態においては、ハンドレール上における装置の進行に対応して、一対のブラシ６０における各植毛６０ａが、ハンドレールの両側面から裏面側に向かって順に当接するような姿勢に設定されている。したがって、前記した貼着用の第１および第２ローラ４８，４９によってハンドレールの上面に貼着された粘着シート２の両側辺部は、前記一対のブラシ６０（植毛６０ａ）の作用を受けて、ハンドレールの両側面から裏面側に向かって順に回り込むようにして貼り付けられる。
【００６１】
図２および図３に示すように装置の進行方向の後端部側に配置された上下に平行状態のシャフト２２，２３を利用して、一対のホルダ６５，６６が取り付けられており、一方のホルダ６５は前記したフレーム部材１１との間でその位置が固定され、他方のホルダ６６は前記シャフト２２，２３の長手方向に沿ってスライドできるように取り付けられている。そして、前記一対のホルダ６５，６６の間には、引っ張りバネ６８が張架されている。したがって、スライド可能な前記ホルダ６６は、前記引っ張りバネ６８の作用を受けてホルダ６５側に付勢されるように構成されている。
【００６２】
前記ホルダ６５，６６には、それぞれリンクプレート７０，７１の一端が取り付けられており、このプレート７０，７１の他端は、操作部材７２を介して互いに回動できるように連結されている。そして、一方のプレート７０には係止ピン７０ａが立設され、他方のプレート７１には前記係止ピン７０ａが入り込む切欠部７１ａが形成されている。
【００６３】
すなわち、前記プレート７０，７１は、オーバセンタの機能を備えており、前記操作部材７２を装置の後方に引くことにより、係止ピン７０ａが切欠部７１ａに入り込んで、オーバセンタの状態となり、ホルダ６５，６６が拡開された状態にロックされる。そして、前記操作部材７２を装置の前方側に向かって押し出すことにより、前記ロック状態が外され、前記したホルダ６６はバネ６８の作用を受けてホルダ６５側に移動するように作用する。
【００６４】
前記各ホルダ６５，６６のそれぞれには、その下側面に対をなすレールガイド（これを後レールガイドとも言う。）７４，７５が鉛直軸方向で回転可能となるように取り付けられている。この状態は図８に詳しく示されている。前記各後レールガイド７４，７５は、その一方のレールガイド７５に示したように、ハンドレールにおける幅方向の側面に接する円柱部７５ａと、ハンドレールにおける前記側面に連なる裏面側の一部に接する円錐部７５ｂとが形成されている。
【００６５】
この構成により、対をなす後レールガイド７４，７５は、ハンドレール５の両側からハンドレールをオーバハングするようにして回動する。すなわち、前記した対をなす後レールガイド７４，７５は、すでに説明した対をなす前レールガイド４２，４３と協同して、装置をハンドレール５の長手方向に沿って円滑に移動させるガイド作用を実現する。
【００６６】
この場合、特に後レールガイド７４，７５においては、これに形成された円錐部７５ｂがハンドレールにおける両側面に連なる裏面側に接合するように作用するので、これにより帯状になされた粘着シート２の幅方向の両端部をレールガイドに対して強固に貼着させることができる。
【００６７】
以上説明した貼り付け装置を用いて、例えばエスカレータのハンドレール上に帯状の粘着テープを貼着するには、エスカレータの上段（上階）部において、ハンドレール上にこの貼り付け装置を載置する。この場合、前記した前側の操作部材４０を押し下げて、対をなす前レールガイド４２，４３をオーバセンタの機能を利用して拡開状態にロックし、同様に後側の操作部材７２を後方に引くことにより、対をなす後レールガイド７４，７５をオーバセンタの機能を利用して拡開状態にロックする。
【００６８】
この状態で、前側および後側の搬送用ローラ４５，４６を利用して装置をハンドレール５上に載せる。この時、粘着シート２の端部を巻き出しローラ１より繰り出して、ハンドレール５上に、そのセンターが一致するようにして仮に貼り付け、前記した前側の操作部材４０および後側の操作部材７２を操作してオーバセンタのロック状態を解除する。これにより、前レールガイド４２，４３および後レールガイド７４，７５の作用により、装置はハンドレール５上に沿って、そのセンターに位置規制されつつ移動できる体制になされる。
【００６９】
この状態で一対のグリップ２５ａ，２５ｂを把持し、ハンドレール５上を上階から下に向かって装置を移動させる操作を実行することで、粘着シート２は巻き出しローラ１より順に繰り出され、すでに説明した第１ローラ、第２ローラ、ならびに植毛ブラシの作用によりハンドレール５に対して粘着シート２が貼着される。
【００７０】
この場合、巻き出しローラ１より繰り出される粘着シート２にはテンション付与機構によってバックテンションが付与されるように作用し、前記したとおり粘着シートの長手方向に対して４±１％の範囲の伸びが与えられる。これにより、ハンドレール上に貼り付けられる直前の粘着シートの幅方向の両端を、ハンドレールの曲面に沿って効果的に湾曲状態に変形（カーリング）させることができ、帯状の粘着シートを無理なく連続的にハンドレール上に貼り付けることが可能となる。
【００７１】
図９および図１０は、前記した巻き出しローラ１より繰り出される粘着シート２にバックテンションを付与し、粘着シートの長手方向に対して伸びを与える場合の適切な範囲の考察について説明するものである。ハンドレールに貼り付ける直前における粘着シートに伸びを与えることによる主要な目的は、前記したように粘着シートに対してカーリングを起こさせると共に、ハンドレールへの粘着シートの側面から裏面側への貼り付け部分において、粘着シート皺が発生しないようにするものである。
【００７２】
図９はハンドレール５の長手方向に直交する断面図であり、すでに説明したとおりハンドレール５の上面から裏面側に回り込むようにして粘着シート２が貼着される。前記ハンドレール５は標準的な製品においては、その上下方向の寸法ｈは２６ｍｍ程度である。
【００７３】
図１０は、エスカレータにおける前記ハンドレール５の配置状況を示すものであり、周知のとおりハンドレール５はエンドレス状に形成され、上下の階においてそれぞれ半円を描きながら搬送方向が反転されて循環されるように構成されている。このようなエスカレータにおけるハンドレール５は、その反転位置の直径ｄは標準的な製品においては、７８０ｍｍ程度になされる。
【００７４】
図１０に、前記反転位置におけるハンドレール５の様子を拡大して示したように、反転位置におけるハンドレールの回転中心と、ハンドレールの表面（ｅ）との半径をＲ１とし、同じく反転位置における前記回転中心とハンドレール５の裏面（ｆ）との半径をＲ２とした場合、前記したｈ＝２６ｍｍ、ｄ＝７８０ｍｍとして、前記反転位置におけるハンドレールの表面ｅにおける周長と、裏面ｆにおける周長の比を考察すると、次のように示すことができる。
【００７５】
すなわち、前記各周長は図１０に示すようにハンドレールの反転位置における符号ｊからｋに至る半周の距離Ｌで示すことができる。したがって、ハンドレールの表面ｅにおける周長を（Ｌｅｊ→ｋ）として表わした場合、（Ｌｅｊ→ｋ）＝πＲ１であり、ハンドレールの裏面ｆにおける周長を（Ｌｆｊ→ｋ）として表わした場合、（Ｌｆｊ→ｋ）＝πＲ２である。したがって、前記両者の比は結果として次のように示すことができる。
（Ｌｅｊ→ｋ）／（Ｌｆｊ→ｋ）＝１．０７２＝１０７．２％
【００７６】
すなわち、前記した反転位置におけるハンドレール５の表面ｅと裏面ｆとにおいては、前記周長差に基づいて、約７％の伸縮差が発生することになる。したがってハンドレール５に貼着された状態における前記粘着シート２においても同様に約７％の伸縮差の影響を受けることになる。
【００７７】
前記した伸縮差は、ハンドレール５の両側から裏側にかけて回り込んで貼着された粘着シート２に浮きを発生させることになり、ハンドレール５の循環に伴い前記した上下階の反転位置に来る度に、前記した浮きの発生作用が繰り返されることになる。これにより、ハンドレール５から粘着シート２に剥がれを発生させることになる。
【００７８】
前記した問題を解消するために、ハンドレール５に対して粘着シート２を貼り付けるに際して前記したバックテンションを与えて粘着シート２を伸長し、この状態でハンドレール５に貼着することで、効果的に前記した浮きの発生を低減させることができる。
【００７９】
この場合、前記した約７％の伸縮差を吸収するためには、ハンドレールに対して粘着シートを貼り付けるに際して、３〜５％の伸びを与えつつ貼着することで、ハンドレールの両側から裏側にかけて回り込んで貼着される粘着シートに発生しようとする浮きを効果的に抑え込むことができる。
【００８０】
すなわち、前記伸びが３％未満では前記した浮きの発生を抑える効果を発揮することはできない。また、前記伸びが５％を超えた場合においても前記した浮きの発生を抑える効果を発揮することはできるが、その効果が向上するものでもない。また、前記伸びが５％を超える場合においては粘着シート２に印刷された画像等に歪みが生じていることが認識され易い。したがって、前記した理由からバックテンションを与えることにより粘着シートに伸びを与える最適値は、４±１％の範囲であるということができる。
【図面の簡単な説明】
【００８１】
【図１】この発明にかかる貼り付け装置の基本構成図である。
【図２】貼り付け装置の全体構成を示した上面図である。
【図３】一部を透視状態で示した装置の正面図である。
【図４】装置の左側面図である。
【図５】図３におけるＢ−Ｂ線より矢印方向に視た状態を示す断面図である。
【図６】図３におけるＣ−Ｃ線より矢印方向に視た状態を示す断面図である。
【図７】粘着用第１ローラと第２ローラの好ましい寸法関係を説明する模式図である。
【図８】ハンドレールに搭載された状態における装置の後端部付近を、斜め下方から視た状態の斜視図である。
【図９】ハンドレールに粘着シートを貼り付ける様子を説明する断面図である。
【図１０】ハンドレールに貼り付けられる粘着シートに伸びを与える最適な例を説明する模式図である。
【符号の説明】
【００８２】
１          巻き出しローラ
２          粘着シート
３          剥離シート（セパレートフィルム）
４          巻き取りローラ
５          ハンドレール
６          巻き掛けローラ
３０        トルクコントローラ（テンション付与機構）
４２，４３  前レールガイド
４３ａ      円柱部
４３ｂ      円錐部
４５，４６  搬送用ローラ
４８        貼着用第１ローラ
４９        貼着用第２ローラ
６０        ブラシ
６０ａ      植毛
７４，７５  後レールガイド
７５ａ      円柱部
７５ｂ      円錐部
【図１】
2007076817.tif 000003
【図２】
2007076817.tif 000004
【図３】
2007076817.tif 000005
【図４】
2007076817.tif 000006
【図５】
2007076817.tif 000007
【図６】
2007076817.tif 000008
【図７】
2007076817.tif 000009
【図８】
2007076817.tif 000010
【図９】
2007076817.tif 000011
【図１０】
2007076817.tif 000012